(57)【特許請求の範囲】
【請求項１】
燃焼部と、複数種の流体回路を有する前記燃焼部で加熱される缶体と、前記複数種の流体回路の前記缶体入口、または出口に、前記複数種の流体同士が、それぞれ熱交換を行うように間接熱交換器を設け、前記複数種の流体回路は、給湯を行うための給湯水回路と、風呂の運転を行うための風呂温水回路を含み、缶体の給湯水回路出口に、前記給湯水回路で加熱した後の給湯水と、前記風呂温水回路で加熱した後の風呂温水が、熱交換を行うように間接熱交換器を設けたことを特徴とする給湯装置。
【請求項２】
燃焼部と、複数種の流体回路を有する前記燃焼部で加熱される缶体と、前記複数種の流体回路の前記缶体入口、または出口に、前記複数種の流体同士が、それぞれ熱交換を行うように間接熱交換器を設け、前記複数種の流体回路は、給湯を行うための給湯水回路と、風呂の運転を行うための風呂温水回路を含み、缶体の給湯水回路出口に、前記給湯水回路で加熱した後の給湯水と、前記風呂温水回路で加熱する前の風呂温水が、熱交換を行うように間接熱交換器を設けたことを特徴とする給湯装置。
【請求項３】
燃焼部と、複数種の流体回路を有する前記燃焼部で加熱される缶体と、前記複数種の流体回路の前記缶体入口、または出口に、前記複数種の流体同士が、それぞれ熱交換を行うように間接熱交換器を設け、前記複数種の流体回路は、給湯を行うための給湯水回路と、温水暖房を行うための暖房温水回路を含み、缶体の給湯水回路出口に、前記給湯水回路で加熱した後の給湯水と、前記暖房温水回路で加熱した後の暖房温水が、熱交換を行うように間接熱交換器を設けたことを特徴とする給湯装置。
【請求項４】
燃焼部と、複数種の流体回路を有する前記燃焼部で加熱される缶体と、前記複数種の流体回路の前記缶体入口、または出口に、前記複数種の流体同士が、それぞれ熱交換を行うように間接熱交換器を設け、前記複数種の流体回路は、給湯を行うための給湯水回路と、温水暖房を行うための暖房温水回路を含み、缶体の給湯水回路出口に、前記給湯水回路で加熱した後の給湯水と、前記暖房温水回路で加熱する前の暖房温水が、熱交換を行うように間接熱交換器を設けたことを特徴とする給湯装置。
【請求項５】
燃焼部と、複数種の流体回路を有する前記燃焼部で加熱される缶体と、前記複数種の流体回路の前記缶体入口、または出口に、前記複数種の流体同士が、それぞれ熱交換を行うように間接熱交換器を設け、前記複数種の流体回路は、温水暖房を行うための暖房温水回路と、風呂の運転を行うための風呂温水回路を含み、缶体の暖房温水回路入り口に、前記暖房温水回路で加熱する前の暖房温水と、前記風呂温水回路で加熱した後の風呂温水が、熱交換を行うように間接熱交換器を設けたことを特徴とする給湯装置。
【請求項６】
燃焼部と、複数種の流体回路を有する前記燃焼部で加熱される缶体と、前記複数種の流体回路の前記缶体入口、または出口に、前記複数種の流体同士が、それぞれ熱交換を行うように間接熱交換器を設け、前記複数種の流体回路は、温水暖房を行うための暖房温水回路と、風呂の運転を行うための風呂温水回路を含み、缶体の暖房温水回路出口に、前記暖房温水回路で加熱した後の暖房温水と、前記風呂温水回路で加熱した後の風呂温水が、熱交換を行うように間接熱交換器を設けたことを特徴とする給湯装置。
【請求項７】
燃焼部と、複数種の流体回路を有する前記燃焼部で加熱される缶体と、前記複数種の流体回路の前記缶体入口、または出口に、前記複数種の流体同士が、それぞれ熱交換を行うように間接熱交換器を設け、前記複数種の流体回路は、温水暖房を行うための暖房温水回路と、風呂の運転を行うための風呂温水回路を含み、缶体の暖房温水回路出口に、前記暖房温水回路で加熱した後の暖房温水と、前記風呂温水回路で加熱する前の風呂温水が、熱交換を行うように間接熱交換器を設けたことを特徴とする給湯装置。
【発明の詳細な説明】
【０００１】
【発明の属する技術分野】
本発明は、燃焼を利用して、給湯と風呂の自動運転、および、暖房を行う装置の改良に関するものである。
【０００２】
【従来の技術】
従来、この種の給湯と、風呂のお湯張りや追い焚きなどの運転が出来る給湯風呂装置は、特開平４−２３６０５４号公報に記載されているものが一般的である。この装置の構成を図１０に示す。図１０は、同一缶体に給湯用回路と、風呂用回路の２回路を有する１缶２水路方式であり、１缶体で給湯と風呂の運転が同時に出来ることと、コンパクト化が容易であるため、広く熱交換方式として採用されている。たとえば、給湯と風呂の自動運転が出来る装置のほかに、図１１に示すような給湯と温水暖房が出来る装置や、図１２に示すような温水暖房と風呂の運転が出来る装置に用いられている。図１０の構成において、燃焼部１と、缶体２には給湯水回路３と、風呂温水回路４が設けてあり、燃焼部１でこれらの回路を通る給湯水と、風呂温水を直接加熱することによって、給湯と風呂の運転を行う。風呂温水は、風呂循環ポンプ５によって浴槽６へ送られる。給湯は、カラン７が開かれた場合に動作する。図１１の構成において、燃焼部８と、缶体９には給湯水回路１０と、暖房温水回路１１が設けてあり、燃焼部８でこれらの回路を通る給湯水と、暖房温水を直接加熱することによって、給湯と暖房運転を行う。暖房温水は、暖房循環ポンプ１２によって暖房放熱器１３へ送られる。図１２の構成において、燃焼部１４と、缶体１５には風呂温水回路１６と、暖房温水回路１７が設けてあり、燃焼部１４でこれらの回路を通る風呂温水と、暖房温水を直接加熱することによって、風呂と暖房運転を行う。風呂温水と暖房温水は、図１０、図１１の構成と同じく、風呂循環ポンプ５と暖房循環ポンプ１２によって、浴槽６と暖房放熱器１３へ送られる。
【０００３】
【発明が解決しようとする課題】
しかしながら、上記の図１０のような従来の給湯風呂装置では、給湯、または風呂を単独で使用した場合、以下のような課題が発生していた。
【０００４】
同一の缶体２に給湯と風呂といった複数種の流体回路である給湯水回路３、風呂湯水回路４を設けているために、使用しない方の流体回路も加熱されて、使用しない方の流体回路内に滞留していた給湯水、または暖房温水は、昇温して沸騰していた。流体が沸騰すると、流体回路が高温になるために、装置の寿命が低下する。さらに、流体回路内でスケールも発生していた。
【０００５】
また、図１１のような同一の缶体に給湯水回路１０と暖房温水回路１１を持つ給湯暖房装置、図１２のような暖房温水回路１７と風呂温水回路１６を持つ暖房風呂装置も同様の課題を持っている。
【０００６】
更に、給湯、または風呂、または暖房を単独で使用中に、使用していなかった方の機能を使い始めたとき、例えば給湯水回路に滞留していた高温の給湯水がカラン７から出湯して、ユーザーに不快感を与えたり、風呂温水回路に滞留していた高温の風呂温水が浴槽６へ流れ込み、風呂の温度を急上昇させたり、また暖房温水回路に滞留していた高温の暖房温水が室内放熱器に流れ込み、室内の温度を急上昇させたりして、ユーザーに不快感を与えていた。
【０００７】
【課題を解決するための手段】
本発明は上記課題を解決するため、燃焼部と、複数種の流体回路を有する前記燃焼部で加熱される缶体と、前記複数種の流体回路の前記缶体入口、または出口に、前記複数種の流体同士が、それぞれ熱交換を行うように間接熱交換器を設け、前記複数種の流体回路は、給湯を行うための給湯水回路と、風呂の運転を行うための風呂温水回路を含み、缶体の給湯水回路出口に、前記給湯水回路で加熱した後の給湯水と、前記風呂温水回路で加熱した後の風呂温水が、熱交換を行うように間接熱交換器を設けたことを特徴とする給湯装置としたものである。
【０００８】
上記発明によれば、一方の単独の流体回路を使用する時において、他方の流体回路で加熱された流体が、間接熱交換器で先の流体回路の流体に放熱するため、装置の寿命の延命化とスケール発生の予防が図れる。さらに、効率も高めることが出来る。
【０００９】
【発明の実施の形態】
本発明は、各請求項に記載の形態で実施できるものである。すなわち本発明の請求項１記載のように、燃焼部と、複数種の流体回路を有する前記燃焼部で加熱される缶体と、前記複数種の流体回路の前記缶体入口、または出口に、前記複数種の流体同士が、それぞれ熱交換を行うように間接熱交換器を設け、前記複数種の流体回路は、給湯を行うための給湯水回路と、風呂の運転を行うための風呂温水回路を含み、缶体の給湯水回路出口に、前記給湯水回路で加熱した後の給湯水と、前記風呂温水回路で加熱した後の風呂温水が、熱交換を行うように間接熱交換器を設けたことを特徴とする給湯装置とすることにより、一方の流体が缶体で受けた熱は、間接熱交換器でもう一方の低温の流体に放熱することができる。
【００１０】
また、給湯単独使用時において、風呂温水が缶体で受けた熱は、間接熱交換器で低温の給湯水に放熱することができる。
【００１１】
また、請求項２記載のように複数種の流体回路は、給湯を行うための給湯水回路と、風呂の運転を行うための風呂温水回路を含み、缶体の給湯水回路出口に、前記給湯水回路で加熱した後の給湯水と、前記風呂温水回路で加熱する前の風呂温水が、熱交換を行うように間接熱交換器を設けることにより、風呂単独使用時において、給湯水が缶体で受けた熱は、間接熱交換器で低温の風呂温水に放熱される。
【００１２】
また、請求項３記載のように複数種の流体回路は、給湯を行うための給湯水回路と、温水暖房を行うための暖房温水回路である給湯暖房装置において、缶体の給湯水回路出口に、前記給湯水回路で加熱した後の給湯水と、前記暖房温水回路で加熱した後の暖房温水が、熱交換を行うように間接熱交換器を設けたものである。これにより、給湯単独使用時において、暖房温水が缶体で受けた熱は、間接熱交換器で低温の給湯水に放熱される。
【００１３】
また、請求項４記載のように複数種の流体回路は、給湯を行うための給湯水回路と、温水暖房を行うための暖房温水回路を含み、缶体の給湯水回路出口に、前記給湯水回路で加熱した後の給湯水と、前記暖房温水回路で加熱する前の暖房温水が、熱交換を行うように間接熱交換器を設けることにより、暖房単独使用時において、給湯水が缶体で受けた熱は、間接熱交換器で低温の暖房温水に放熱することができる。
【００１４】
また、請求項５記載のように複数種の流体回路は、温水暖房を行うための暖房温水回路と、風呂の運転を行うための風呂温水回路を含み、缶体の暖房温水回路入り口に、前記暖房温水回路で加熱する前の暖房温水と、前記風呂温水回路で加熱した後の風呂温水が、熱交換を行うように間接熱交換器を設けることにより、暖房単独使用時において、風呂温水が缶体で受けた熱は、間接熱交換器で低温の暖房温水に放熱することができる。
【００１５】
また、請求項６記載のように複数種の流体回路は、温水暖房を行うための暖房温水回路と、風呂の運転を行うための風呂温水回路を含み、缶体の暖房温水回路出口に、前記暖房温水回路で加熱した後の暖房温水と、前記風呂温水回路で加熱した後の風呂温水が、熱交換を行うように間接熱交換器を設けることにより、暖房単独使用時において、風呂温水が缶体で受けた熱は、間接熱交換器で低温の暖房温水に放熱することができる。
【００１６】
また、請求項７記載のように複数種の流体回路は、温水暖房を行うための暖房温水回路と、風呂の運転を行うための風呂温水回路を含み、缶体の暖房温水回路出口に、前記暖房温水回路で加熱した後の暖房温水と、前記風呂温水回路で加熱する前の風呂温水が、熱交換を行うように間接熱交換器を設けることにより、風呂単独使用時において、暖房温水が缶体で受けた熱は、間接熱交換器で低温の風呂温水に放熱することができる。
【００１７】
【実施例】
以下、本発明の実施例について図面を用いて説明する。
【００１８】
（実施例１）
図１は本発明の実施例１における、給湯装置の構成を模式的に示したものである。
【００１９】
本実施例の給湯装置は、燃焼部１８、缶体１９、給湯水回路２０、風呂温水回路２１、カラン２２、浴槽２３から構成される、１缶２水路の給湯風呂装置である。さらに、本実施例では、給湯水回路２０の入り口に、缶体１９に流入する前の給湯水と、缶体１９から風呂へと向かう風呂温水が熱交換するように間接熱交換器２４を設けている。また、風呂温水の浴槽２３への搬送手段として、風呂循環ポンプ２５を設けている。電磁弁２６は、風呂バイパス回路２７を開閉するためのものである。
【００２０】
次に図１の構成について、動作と作用について説明する。カラン２２が開かれた場合は、燃焼部１８で給湯水回路２０を加熱して、給湯水を所定の温度に加温する。風呂の追い焚き運転は、燃焼部１８で風呂温水回路２１を加熱して、所定の温度の風呂温水を造る。風呂温水は、風呂循環ポンプ２５によって浴槽２３へ送られる。そして、低温の風呂温水が風呂温水回路２１へ供給される。図１の構成では、風呂温水は、風呂循環ポンプ２５で強制的に循環される例を示しているが、風呂温水の温度差で発生する密度差を利用して、自然循環させる方法もある。
【００２１】
しかし、給湯、または風呂の運転を単独で使用する場合は、同一の缶体１９に給湯水回路２０と、風呂温水回路２１を設けているため、使用しない側の風呂温水回路２１、または給湯水回路２０も加熱される。このとき、風呂温水回路２１に滞留している風呂温水、または給湯水回路２０に滞留している給湯水は、昇温して沸騰に至る。沸騰した風呂温水、または給湯水は、風呂温水回路２１、または給湯水回路２０にスケールを発生させるばかりでなく、熱交換器の寿命も低下させる。また、単独使用時において風呂温水回路２１、または給湯水回路２０に加わる熱は、給湯、または風呂の運転には利用されないため効率が低下する。
【００２２】
そこで、以下の作用と動作によって、給湯単独使用時において、風呂温水回路２１の風呂温水の沸騰を防止することが出来る。
【００２３】
給湯を使って、風呂を使わない場合には、電磁弁２６を開にして、風呂バイパス回路２７を開放する。次に、風呂循環ポンプ２５を作動させ、風呂温水回路２１の風呂温水を循環させる。燃焼部１８から風呂温水回路２１を通じて熱を受けた高温の風呂温水は、間接熱交換器２４へ流入する。そこで高温の風呂温水は、給湯水回路２０へ入る前の低温の給湯水へ温熱を与え、風呂温水は冷却される。この作用によって、風呂温水が風呂温水回路２１で受けた熱は、間接熱交換器２４を通じて、給湯水へ放熱されるから、給湯効率は維持される。さらに、風呂温水の昇温は抑制され、沸騰とスケールの発生を防止することができから、装置の延命化が図れる。
【００２４】
また、従来例で確認されていた、給湯使用時に使っていなかった風呂を運転し始めたときに、高温の風呂温水が浴槽２３に流入して風呂温度を急上昇させ、ユーザーに不快感を与えるという現象も解消される。
【００２５】
また、図１の構成では、給湯単独運転中にも風呂循環ポンプ２５を作動させることによって、強制的に風呂温水回路２１で受けた熱を間接熱交換器２４で、給湯水に与えたが、図１の構成より風呂循環ポンプ２５を省いた構成で、自然循環を利用しても効果は小さいが、低コストで同様の効果が得られる。
【００２６】
尚、本実施例では、間接熱交換器２４は廉価で作製できる二重管式のものを使用した。間接熱交換器２４での伝熱は、液体間で行われるので、プレート式熱交換器等を使用しても同様の効果が得られるとともに、コンパクト化が可能となる。
【００２７】
（実施例２）
図２は本発明の実施例２における給湯装置の構成を模式的に示したものである。実施例２において、実施例１との違いは、給湯水回路２０の出口に、缶体１９から流出した給湯水と、缶体１９から流出した風呂温水が熱交換するように、間接熱交換器２８を設けている点である。なお、実施例１と同一符号のものは同一構造を有し、説明は省略する。
【００２８】
本発明の目的と、基本的な動作と作用は実施例１と同様であり、給湯を単独で使用する場合の、風呂温水の沸騰防止に関する発明である。以下にその動作を説明する。
【００２９】
給湯を使って、風呂の運転を行わない場合には、まず、電磁弁２６を開にして風呂バイパス回路２７を開放する。次に、風呂循環ポンプ２５を作動させ、風呂温水回路２１の風呂温水を循環させる。燃焼部１８から風呂温水回路２１を通じて熱を受けた高温の風呂温水は、間接熱交換器２８へ流入する。そこで高温の風呂温水は、給湯水回路２０を出た後の給湯水へ放熱し、風呂温水は冷却される。この作用によって、風呂温水が風呂温水回路２１で受けた熱は、間接熱交換器２８を通じて、給湯水へ放熱されるから、給湯効率は維持できるとともに、風呂温水の昇温は抑制され、沸騰を防止することができる。給湯の設定温度は、間接熱交換器２８の出口温度となることから、実施例１に比較して、給湯水回路２０出口の温度を低くすることができる。従って、実施例１の効果に加え、更に熱交換器の寿命を長くすることができる。
【００３０】
（実施例３）
図３は本発明の実施例３における給湯装置の構成を模式的に示したものである。実施例３において、実施例１との違いは、風呂温水回路２１の入り口に、缶体１９から流出する給湯水と、缶体１９に流入する風呂温水が熱交換するように間接熱交換器２９を設けている点と、給湯循環ポンプ３０を設けている点である。電磁弁３１は、給湯バイパス回路３２を開閉するためのものである。なお、実施例１と同一符号のものは同一構造を有し、説明は省略する。
【００３１】
本発明の基本的な動作と作用は実施例１と同様であるが、風呂を単独で使用する場合の、給湯水の沸騰防止に関する発明である。以下にその動作を説明する。
【００３２】
風呂の運転を単独で行う場合は、同一の缶体１９に給湯水回路２０と、風呂温水回路２１を設けているため、使用しない側の給湯水回路２０も加熱される。このとき、給湯水回路２０に滞留している給湯水は、昇温して沸騰に至る。沸騰した給湯水は、給湯水回路２０にスケールを発生させるばかりでなく、熱交換器の寿命も低下させる。また、給湯水回路２０に加わる熱は、風呂の運転には利用されないため効率が低下する。
【００３３】
風呂の運転を行って、給湯を使わない場合には、まず、電磁弁３１を開にして給湯バイパス回路３２を開放する。次に、給湯循環ポンプ３０を作動させ、給湯水回路２０の給湯水を循環させる。燃焼部１８から給湯水回路２０を通じて熱を受けた高温の給湯水は、間接熱交換器２９へ流入する。そこで高温の給湯水は、風呂温水回路２１に入る前の低温の風呂温水へ放熱し、給湯水は冷却される。この作用によって、給湯水が給湯水回路２０で受けた熱は、間接熱交換器２９を通じて、風呂温水へ放熱されるから、風呂の運転効率は維持できるとともに、給湯水の昇温は抑制され、沸騰を防止することができる。
【００３４】
また、従来例で確認されていた、風呂運転中に使っていなかった給湯を運転し始めたときに、高温の給湯水がカラン２２から出湯して、ユーザーに不快感を与えることもなくなる。
【００３５】
（実施例４）
図４は本発明の実施例４における、給湯装置の構成を模式的に示したものである。本実施例の給湯装置は、従来例と同様に、燃焼部３３、缶体３４、給湯水回路３５、暖房温水回路３６、カラン２２、暖房放熱器３７から構成される、１缶２水路の給湯暖房装置である。さらに、本実施例は、給湯水回路３５の入り口に、缶体３４に流入する前の給湯水と、缶体３４から流出する暖房温水が熱交換するように間接熱交換器３８を設けている。また、暖房温水の暖房放熱器３７への搬送手段として、暖房循環ポンプ３９を設けている。電磁弁４０は、暖房バイパス回路４１を開閉するためのものである。
【００３６】
次に図４の構成について、動作と作用について説明する。カラン２２が開かれた場合は、燃焼部３３で給湯水回路３５を加熱して、給湯水を所定の温度に加温する。暖房運転は、燃焼部３３で暖房温水回路３６を加熱して、所定の温度の暖房温水をつくる。暖房温水は、暖房循環ポンプ３９によって暖房放熱器３７へ送られ、そこで温熱を放熱し、暖房を行う。そして、再び暖房温水回路３６へ戻る。図４の構成では、暖房温水は、暖房循環ポンプ３９で強制的に循環される例を示しているが、暖房温水の温度差で発生する密度差を利用して、自然循環させる方法もある。
【００３７】
しかし、給湯を単独で使用する場合は、同一の缶体３４に給湯水回路３５と、暖房温水回路３６を設けているため、使用しない側の暖房温水回路３６も加熱されてしまう。このとき、暖房温水回路３６に滞留している暖房温水は、加熱され昇温して沸騰に至る。同様に、暖房単独で使用する場合は、給湯水回路３５に滞留している給湯水が沸騰する。沸騰した暖房温水、または給湯水は、暖房温水回路３６、または給湯水回路３５にスケールを発生させるばかりでなく、熱交換器の寿命も低下させる。また、単独使用時において暖房温水回路３６、または給湯水回路３５に加わる熱は、給湯、または暖房には利用されないために、効率が低下する。
【００３８】
そこで、以下の作用と動作によって、給湯単独使用時において、暖房温水回路３６の暖房温水の沸騰を防止することが出来る。
【００３９】
給湯を使って、暖房を使わない場合には、まず、電磁弁４０を開にして暖房バイパス回路４１を開放する。次に、暖房循環ポンプ３９を作動させて、暖房温水回路３６の暖房温水を暖房バイパス回路４１を通じて循環させる。燃焼部３３から暖房温水回路３６を通じて熱を受けた高温の暖房温水は、間接熱交換器３８へ流入する。そこで高温の暖房温水は、給湯水回路３５へ入る前の低温の給湯水へ温熱を与え、暖房温水は冷却される。この作用によって、暖房温水が暖房温水回路３６で受けた熱は、間接熱交換器３８を通じて、給湯水へ放熱されるから、給湯効率は維持される。更に、暖房温水の昇温は抑制されるから、沸騰とスケールの発生を防止することができ、装置の寿命の延命が図れる。
【００４０】
また、図４の構成では、給湯単独運転中にも暖房循環ポンプ３９を駆動させることによって、強制的に暖房温水回路３６で受けた熱を間接熱交換器３８で、給湯水に与えたが、図４の構成より暖房循環ポンプ３９を省いた構成で、自然循環を利用しても効果は小さいが、低コストで同様の効果が得られる。
【００４１】
また、従来例で確認されていた、給湯使用時に使っていなかった暖房を運転し始めたときに、高温の暖房温水が室内の暖房放熱器３７に流入して室内温度を急上昇させ、ユーザーに不快感を与えるという現象も解消される。
【００４２】
尚、本実施例では、間接熱交換器３８は廉価で作製できる二重管式のものを使用した。間接熱交換器３８での伝熱は、液体間で行われるので、プレート式熱交換器等を使用しても同様の効果が得られるとともに、コンパクト化が可能となる。
【００４３】
（実施例５）
図５は本発明の実施例５における、給湯装置の構成を模式的に示したものである。実施例５において、実施例４との違いは、給湯水回路３５の出口に、缶体３４から流出した給湯水と、缶体３４から流出した暖房温水が熱交換するように、間接熱交換器４２を設けている点である。なお、実施例４と同一符号のものは同一構造を有し、説明は省略する。
【００４４】
本発明の目的と、基本的な動作と作用は実施例４と同様であり、給湯を単独で使用する場合の、暖房温水の沸騰防止に関する発明である。以下にその動作を説明する。
【００４５】
給湯を使って、暖房を使わない場合には、まず、電磁弁４０を開にして暖房バイパス回路４１を開放する。次に、暖房循環ポンプ３９を駆動させ、暖房温水回路３６の暖房温水を循環させる。燃焼部３３から暖房温水回路３６を通じて熱を受けた高温の暖房温水は、間接熱交換器４２へ流入する。そこで高温の暖房温水は、給湯水回路３５を出た後の給湯水へ放熱し、暖房温水は冷却される。この作用によって、暖房温水が暖房湯水回路３６で受けた熱は、間接熱交換器４２を通じて、給湯水へ放熱されるから、給湯効率は維持できるとともに、暖房温水の昇温は抑制され、沸騰とスケールの発生を防止することができる。給湯の設定温度は、間接熱交換器４２の出口温度となることから、実施例４に比較して、給湯水回路３５の出口の温度を低くすることができる。従って、実施例４の効果に加え、さらに装置の寿命を長くすることができる。
【００４６】
（実施例６）
図６は本発明の実施例６における給湯装置の構成を模式的に示したものである。実施例６において、実施例４との違いは、暖房温水回路３６の入り口に、缶体３４から流出する給湯水と、缶体３４に流入する暖房温水が熱交換するように間接熱交換器４３を設けている点と、給湯循環ポンプ４４を設けている点である。電磁弁４５は、給湯バイパス回路４６を開閉するためのものである。なお、実施例４と同一符号のものは同一構造を有し、説明は省略する。
【００４７】
本発明の基本的な動作と作用は実施例４と同様であるが、暖房を単独で使用する場合の、給湯水の沸騰防止に関する発明である。以下にその動作を説明する。
【００４８】
暖房を単独で使用する場合は、同一の缶体３４に給湯水回路３５と、暖房温水回路３６を設けているため、使用しない側の給湯水回路３５も加熱される。このとき、給湯水回路３５に滞留している給湯水は、昇温して沸騰に至る。沸騰した給湯水は、給湯水回路３５にスケールを発生させるばかりでなく、熱交換器の寿命も低下させる。また、給湯水回路３５に加わる熱は、暖房には利用されないため暖房効率が低下する。
【００４９】
暖房を使って、給湯を使わない場合には、まず、電磁弁４５を開にして給湯バイパス回路４６を開放する。次に、給湯循環ポンプ４４を作動させ、給湯水回路３５の給湯水を循環させる。燃焼部３３から給湯水回路３５を通じて熱を受けた高温の給湯水は、間接熱交換器４３へ流入する。そこで高温の給湯水は、暖房温水回路３６に入る前の低温の暖房温水へ放熱し、給湯水は冷却される。この作用によって、給湯水が給湯水回路３５で受けた熱は、間接熱交換器４３を通じて、暖房温水へ放熱されるから、暖房効率は維持できるとともに、給湯水の昇温は抑制され、沸騰とスケールの発生を防止することができる。従って、装置の寿命の延命化が達成される。
【００５０】
また、従来例で確認されていた、暖房運転中に使っていなかった給湯を運転し始めたときに、高温の給湯水がカラン２２から出湯して、ユーザーに不快感を与えることもなくなる。
【００５１】
（実施例７）
図７は本発明実施例７における給湯装置の構成を模式的に示したものである。
【００５２】
本実施例の給湯装置は、燃焼部４７、缶体４８、暖房温水回路４９、風呂温水回路５０、暖房放熱器３７、浴槽２３から構成される、１缶２水路の暖房風呂装置である。さらに、本実施例は、暖房温水回路４９の入り口に、缶体４８に流入する前の暖房温水と、缶体４８から風呂へと向かう風呂温水が熱交換するように間接熱交換器５１を設けている。また、風呂温水の浴槽２３への搬送手段として、風呂循環ポンプ５２と、暖房温水の暖房放熱器３７への搬送手段として、暖房循環ポンプ５３を設けている。電磁弁５４は、風呂バイパス回路５５を開閉するためのものである。
【００５３】
次に図７の構成について、動作と作用について説明する。暖房を使用する場合は、燃焼部４７で暖房温水回路４９を加熱して、暖房温水を所定の温度に加温する。風呂の追い焚き運転は、燃焼部４７で風呂温水回路５０を加熱して、所定の温度の風呂温水をつくる。風呂温水は、風呂循環ポンプ５２によって浴槽２３へ送られる。そして、低温の風呂温水が風呂温水回路５０へ供給される。図７の構成では、風呂温水は、風呂循環ポンプ５２で強制的に循環される例を示しているが、風呂温水の温度差で発生する密度差を利用して、自然循環させる方法もある。
【００５４】
しかし、暖房、または風呂の運転を単独で使用する場合は、同一の缶体４８に暖房温水回路４９と、風呂温水回路５０を設けているため、使用しない側の風呂温水回路５０、または暖房温水回路４９も加熱される。このとき、風呂温水回路５０に滞留している風呂温水、または暖房温水回路４９に滞留している暖房温水は、昇温して沸騰に至る。沸騰した風呂温水、または暖房温水は、風呂温水回路５０、または暖房温水回路４９にスケールを発生させるばかりでなく、熱交換器の寿命も低下させる。また、単独使用時において風呂温水回路５０、または暖房温水回路４９に加わる熱は、暖房、または風呂の運転には利用されないため効率が低下する。
【００５５】
そこで、以下の作用と動作によって、暖房単独使用時において、風呂温水回路５０の風呂温水の沸騰を防止することが出来る。
【００５６】
暖房を使って、風呂の運転を使わない場合には、電磁弁５４を開にして、風呂バイパス回路５５を開放する。次に、風呂循環ポンプ５２を駆動させ、風呂温水回路５０の風呂温水を循環させる。燃焼部４７から風呂温水回路５０を通じて熱を受けた高温の風呂温水は、間接熱交換器５１へ流入する。そこで高温の風呂温水は、暖房温水回路４９へ入る前の低温の暖房温水へ温熱を与え、風呂温水は冷却される。この作用によって、風呂温水が風呂温水回路５０で受けた熱は、間接熱交換器５１を通じて、暖房温水へ放熱されるから、暖房効率は維持できるとともに、風呂温水の昇温は抑制され、沸騰を防止することができる。
【００５７】
また、図７の構成では、暖房単独運転中にも風呂循環ポンプ５２を駆動させることによって、強制的に風呂温水回路５０で受けた熱を間接熱交換器５１で、暖房温水に与えたが、図７の構成より風呂循環ポンプ５２を省いた構成で、自然循環を利用しても効果は小さいが、低コストで同様の効果が得られる。
【００５８】
また、従来例で確認されていた、暖房使用時に使っていなかった風呂を運転し始めたときに、高温の風呂温水が浴槽２３に流入して風呂温度を急上昇させ、ユーザーに不快感を与えるという現象も解消される。
【００５９】
尚、本実施例では、間接熱交換器５１は廉価で作製できる二重管式のものを使用した。間接熱交換器５１での伝熱は、液体間で行われるので、プレート式熱交換器等を使用しても同様の効果が得られるとともに、コンパクト化が可能となる。
【００６０】
（実施例８）
図８は本発明の実施例８における、給湯装置の構成を模式的に示したものである。実施例８において、実施例７との違いは、暖房温水回路４９の出口に、缶体４８から流出した暖房温水と、缶体４８から流出した風呂温水が熱交換するように、間接熱交換器５６を設けている点である。なお、実施例７と同一符号のものは同一構造を有し、説明は省略する。
【００６１】
本発明の目的と、基本的な動作と作用は実施例７と同様であり、暖房を単独で使用する場合の、風呂温水の沸騰防止に関する発明である。以下にその動作を説明する。
【００６２】
暖房を使って、風呂の運転を行わない場合には、まず、電磁弁５４を開にして風呂バイパス回路５５を開放する。次に、風呂循環ポンプ５２を駆動させ、風呂温水回路５０の風呂温水を循環させる。燃焼部４７から風呂温水回路５０を通じて熱を受けた高温の風呂温水は、間接熱交換器５６へ流入する。そこで高温の風呂温水は、暖房温水回路４９を出た後の暖房温水へ放熱し、風呂温水は冷却される。この作用によって、風呂温水が風呂温水回路５０で受けた熱は、間接熱交換器５６を通じて、暖房温水へ放熱されるから、暖房効率は維持できるとともに、風呂温水の昇温は抑制され、沸騰を防止することができる。暖房温水の設定温度は、間接熱交換器５６の出口温度となることから、実施例７に比較して、暖房温水回路４９の出口の温度を低くすることができる。従って、実施例７の効果に加え熱交換器の寿命を長くすることができる。
【００６３】
（実施例９）
図９は本発明の実施例９における、給湯装置の構成を模式的に示したものである。実施例９において、実施例７との違いは、風呂温水回路５０の入り口に、缶体４８から流出する暖房温水と、缶体４８に流入する風呂温水が熱交換するように間接熱交換器５７を設けている点と、暖房循環ポンプ５３を設けている点である。電磁弁５８は、暖房バイパス回路５９を開閉するためのものである。なお、実施例７と同一符号のものは同一構造を有し、説明は省略する。
【００６４】
本発明の基本的な動作と作用は実施例７と同様であるが、風呂の運転を単独で使用する場合の、暖房温水の沸騰防止に関する発明である。以下にその動作を説明する。
【００６５】
風呂の運転を単独で行う場合は、同一の缶体４８に暖房温水回路４９と、風呂温水回路５０を設けているため、使用しない側の暖房温水回路４９も加熱される。このとき、暖房温水回路４９に滞留している暖房温水は、昇温して沸騰に至る。沸騰した暖房温水は、暖房温水回路４９にスケールを発生させるばかりでなく、熱交換器の寿命も低下させる。また、暖房温水回路４９に加わる熱は、風呂の運転には利用されないため効率が低下する。
【００６６】
風呂の運転を行って、暖房を使わない場合には、まず、電磁弁５８を開にして暖房バイパス回路５９を開放する。次に、暖房循環ポンプ５３を駆動させ、暖房温水回路４９の暖房温水を循環させる。燃焼部４７から暖房湯水回路４９を通じて熱を受けた高温の暖房温水は、間接熱交換器５７へ流入する。そこで高温の暖房温水は、風呂温水回路５０に入る前の低温の風呂温水へ放熱し、暖房温水は冷却される。この作用によって、暖房温水が暖房温水回路４９で受けた熱は、間接熱交換器５７を通じて、風呂温水へ放熱されるから、風呂の運転効率は維持できるとともに、暖房温水の昇温は抑制され、沸騰を防止することができる。
【００６７】
また、従来例で確認されていた、風呂を運転中に使っていなかった暖房を運転し始めたときに、高温の暖房温水が室内の暖房放熱器３７に流入して、室内温度を急上昇させるという現象も解消される。
【００６８】
【発明の効果】
以上のように、本発明は次の効果が得られる。
【００６９】
請求項１記載の発明によれば、燃焼部と、複数種の流体回路を有する前記燃焼部で加熱される缶体と、前記複数種の流体回路の前記缶体入口、または出口に、前記複数種の流体同士が、それぞれ熱交換を行うように間接熱交換器を設けたため、滞留している流体の沸騰を防止することが出来るので、装置の寿命の延命化とスケールの発生を抑えることが出来る。さらに、高効率化も図れる。また、給湯水が缶体を出た後に、缶体で加熱された風呂温水と熱交換するように間接熱交換器を設けたため、風呂温水の沸騰を防止することが出来るので、装置の寿命の延命化とスケールの発生を抑制することが出来る。さらに、高効率化も図れる。また、給湯単独使用時において、風呂を運転し始めても、安定した温度の風呂温水を浴槽に供給できる。
【００７０】
また請求項２記載の発明によれば、風呂温水が缶体に入る前に、缶体で加熱された給湯水と熱交換するように間接熱交換器を設けたため、給湯水の沸騰を防止することが出来るので、装置の寿命の延命化とスケールの発生を抑制することが出来る。さらに、高効率化も図れる。また、風呂運転を単独で行っている時、給湯を運転し始めても、安定した温度の給湯水をカランから供給できる。
【００７１】
また請求項３記載の発明によれば、給湯水が缶体を出た後に、缶体で加熱された暖房温水と熱交換するように間接熱交換器を設けたため、暖房温水の沸騰を防止することが出来るので、装置の寿命の延命化とスケールの発生を抑制することが出来る。さらに、高効率化も図れる。また、給湯単独使用時において、暖房を運転し始めても、安定した温度の暖房温水を暖房放熱器に供給できる。
【００７２】
また請求項４記載の発明によれば、暖房温水が缶体に入る前に、缶体で加熱された給湯水と熱交換するように間接熱交換器を設けたため、給湯水の沸騰を防止することが出来るので、装置の寿命の延命化とスケールの発生を抑制することが出来る。さらに、高効率化も図れる。また、暖房運転を単独で行っている時、給湯を運転し始めても、安定した温度の給湯水をカランから供給できる。
【００７３】
また、請求項５記載の発明によれば、暖房温水が缶体に入る前に、缶体で加熱された風呂温水と熱交換するように間接熱交換器を設けたため、風呂温水の沸騰を防止することが出来るので、装置の寿命の延命化とスケールの発生を抑制することが出来る。さらに、高効率化も図れる。また、暖房運転を単独で行っている時に、風呂を運転し始めても、安定した温度の風呂温水を浴槽に供給できる。
【００７４】
また請求項６記載の発明によれば、暖房温水が缶体を出た後に、缶体で加熱された風呂温水と熱交換するように間接熱交換器を設けた。この構成によると、風呂温水の沸騰を防止することが出来るので、装置の寿命の延命化とスケールの発生を抑制することが出来る。さらに、高効率化も図れる。また、暖房運転を単独で行っている時に、風呂を運転し始めても、安定した温度の風呂温水を浴槽に供給できる。
【００７５】
また請求項７記載の発明によれば、風呂温水が缶体に入る前に、缶体で加熱された暖房温水と熱交換するように間接熱交換器を設けたため、暖房水の沸騰を防止することが出来るので、装置の寿命の延命化とスケールの発生を抑制することが出来る。さらに、高効率化も図れる。また、風呂の運転を単独で行っている時に、暖房を運転し始めても、安定した温度の暖房温水を暖房放熱器に供給できる。
【図面の簡単な説明】
【図１】  本発明の実施例１における給湯装置の構成模式図
【図２】  本発明の実施例２における給湯装置の構成模式図
【図３】  本発明の実施例３の構成における給湯装置の構成模式図
【図４】  本発明の実施例４の構成における給湯装置の構成模式図
【図５】  本発明の実施例５の構成図における給湯装置の構成模式図
【図６】  本発明の実施例６の構成図における給湯装置の構成模式図
【図７】  本発明の実施例７の構成図における給湯装置の構成模式図
【図８】  本発明の実施例８の構成図における給湯装置の構成模式図
【図９】  本発明の実施例９の構成図における給湯装置の構成模式図
【図１０】  従来の給湯装置の構成模式図
【図１１】  他の従来の給湯装置の構成模式図
【図１２】  さらに他の給湯装置の構成模式図
【符号の説明】
１、８、１４、１８、３３、４７  燃焼部
２、９、１５、１９、３４、４８  缶体
３、１０、２０、３５  給湯水回路
４、１６、２１、５０  風呂温水回路
５、２５、５２  風呂循環ポンプ
６、２２  浴槽
７、２３  カラン
１１、１７、３６、４９  暖房温水回路
１２、３９、４４、５３  暖房循環ポンプ
１３、３７  暖房放熱器
２４、２８、２９、３８、４２、４３、５１、５６、５７  間接熱交換器
２６、３１、４０、４５、５４、５８  電磁弁
２７、５５  風呂バイパス回路
３０、４４  給湯循環ポンプ
３２、４６  給湯バイパス回路
４１、５９  暖房バイパス回路
【図１】
0003772493.tif 000002
【図２】
0003772493.tif 000003
【図３】
0003772493.tif 000004
【図４】
0003772493.tif 000005
【図５】
0003772493.tif 000006
【図６】
0003772493.tif 000007
【図７】
0003772493.tif 000008
【図８】
0003772493.tif 000009
【図９】
0003772493.tif 000010
【図１０】
0003772493.tif 000011
【図１１】
0003772493.tif 000012
【図１２】
0003772493.tif 000013